(57)【要約】【課題】  短時間でビームエキスパンダ手段の最適補正位置を求めてその位置調整を行うことができる光情報記録再生装置を提供する。【解決手段】  レーザ光のビーム幅を調整するビームエキスパンダ手段１６と、光記録媒体からの反射光を受光する光検出器２６と、出力信号に基づいてフォーカス誤差信号を求める演算回路３０と、フォーカス誤差信号に基づいてビームエキスパンダ手段の最適位置を求める収差制御手段３２等とからなる光情報記録再生装置において、フォーカス誤差信号のＳ字特性の全振幅と上振幅等の比率値とビームエキスパンダ手段の位置との相関関係と、初期比率値とを記憶する記憶部を有し、収差制御手段は、調整用Ｓ字特性を得る工程と、調整用Ｓ字特性の比率値と、初期比率値と、相関関係とに基づいてビームエキスパンダ手段の仮位置を求める工程と、各位置における各出力信号に基づいて最適補正位置を求める工程と、最適補正位置にビームエキスパンダ手段を位置させる工程とを実行するように制御する。【選択図】  図１
2006048875.tif 000002
【特許請求の範囲】
【請求項１】
光源から出射されるレーザ光のビーム幅を調整するビームエキスパンダ手段と、前記ビームエキスパンダ手段から出射される前記ビーム幅が調整された前記レーザ光を光記録媒体に集光する対物レンズと、前記ビームエキスパンダ手段を介して前記光記録媒体からの反射光を受光する光検出器と、前記光検出器からの出力信号に基づいてフォーカス誤差信号を求める演算回路と、前記演算回路から得られる前記フォーカス誤差信号に基づいて前記ビームエキスパンダ手段の最適位置を求める収差制御手段と、前記収差制御手段からの指示に基づいて前記ビームエキスパンダ手段を前記レーザ光の光軸方向に移動させる駆動手段と、からなる光情報記録再生装置において、
フォーカス誤差信号のＳ字特性の全振幅と前記全振幅のゼロレベルより上側の振幅である上振幅、或いは前記全振幅のゼロレベルより下側の振幅である下振幅との比である比率値と前記ビームエキスパンダ手段の位置との関係を示す予め求められた相関関係と、前記ビームエキスパンダ手段の初期位置において予め求めた前記比率値である初期比率値とを記憶する記憶部を有し、
前記収差制御手段は、前記ビームエキスパンダ手段の位置調整用のＳ字特性の比率値と、前記初期比率値と、前記相関関係とに基づいて最適補正位置に前記ビームエキスパンダ手段を位置させる手段であることを特徴とする光情報記録再生装置。
【請求項２】
前記調整用Ｓ字特性を得る工程は、前記出力信号が所定の状態になったこと応答して実行されることを特徴とする請求項２記載の光情報記録再生装置。
【発明の詳細な説明】
【技術分野】
【０００１】
本発明は、光ディスク等の光記録媒体の情報を記録、または記録した情報を再生する光学式の光情報記録再生装置に係り、特に、ディスクのカバー層の厚みずれによって生ずる球面収差を初期補正した後、温度変化等によって再び発生する球面収差を補正する光情報記録再生装置に関するものである。
【背景技術】
【０００２】
従来、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の光記録媒体に代表される低記録密度の光ディスクにおいては、ディスクのカバー層の厚みずれによって生じる球面収差は無視できていた。しかし、最近の短波長レーザ光及び高開口数の対物レンズを使った高記録密度の光情報記録再生装置においては、ディスクのカバー層の厚みずれによって生じる球面収差は、無視できることができず、このため、記録／再生動作前にディスクのカバー層の膜厚に適した補正を実施し、初期段階で球面収差を最小にするようにしている。しかし、長時間動作後では、装置の内部温度の上昇に伴い、光源の波長変動が発生し、これによって再び球面収差が発生するため、動作後の補正が必要になる。このような場合、従来装置にあっては、例えば特許文献１にあるように、記録再生装置内に温度検出手段を設け、検出温度と球面収差量検出手段との関係をテーブルデータとして保存しておき、前記テーブルから球面収差量検出手段の推定値を算出して、球面収差を最小にする適正値とする方法や、上記テーブルデータに光ピックアップの出力信号であるＲＦ信号レベル、ＲＦ信号ジッタ、エラーレートを組み合わせて補正を行う方法が提案されている。
【０００３】
【特許文献１】特開平１０−１０６０１２号公報
【発明の開示】
【発明が解決しようとする課題】
【０００４】
ところで、上記した従来装置にあっては、温度検出手段を構成するセンサやアンプ等は一般的にはその特性にばらつきを伴うため、この温度検出手段から得られる数値は誤差が生じ、この結果、テーブルデータより得られる推定量が球面収差を最小にする適正値と合致しない場合が生ずる、といった問題があった。
また、このテーブルデータを光ピックアップの出力信号であるＲＦ信号等と組み合わせて推定量を求める場合、上記したばらつきの範囲の全域に亘って測定を行わなければならないことから、ばらつきの範囲が大きい場合には、その分、出力信号の測定回数が増大して適正値を求めるために長時間を要する、といった問題があった。
本発明は、以上のような問題点に着目し、これを有効に解決すべく創案されたものである。本発明の目的は、短時間でビームエキスパンダ手段の最適補正位置を求めてその位置調整を行うことができる光情報記録再生装置を提供することにある。
【課題を解決するための手段】
【０００５】
請求項１に係る発明は、光源から出射されるレーザ光のビーム幅を調整するビームエキスパンダ手段と、前記ビームエキスパンダ手段から出射される前記ビーム幅が調整された前記レーザ光を光記録媒体に集光する対物レンズと、前記ビームエキスパンダ手段を介して前記光記録媒体からの反射光を受光する光検出器と、前記光検出器からの出力信号に基づいてフォーカス誤差信号を求める演算回路と、前記演算回路から得られる前記フォーカス誤差信号に基づいて前記ビームエキスパンダ手段の最適位置を求める収差制御手段と、前記収差制御手段からの指示に基づいて前記ビームエキスパンダ手段を前記レーザ光の光軸方向に移動させる駆動手段と、からなる光情報記録再生装置において、フォーカス誤差信号のＳ字特性の全振幅と上振幅、或いは下振幅との比である比率値と前記ビームエキスパンダ手段の位置との関係を示す予め求められた相関関係と、前記ビームエキスパンダ手段の初期位置におけるフォーカス誤差信号のＳ字特性の比率値である予め求められた初期比率値とを記憶する記憶部を有し、前記収差制御手段は、前記ビームエキスパンダ手段の位置調整用のＳ字特性の比率値と、前記初期比率値と、前記相関関係とに基づいて最適補正位置に前記ビームエキスパンダ手段を位置させる手段であることを特徴とする光情報記録再生装置である。
【０００６】
この場合、例えば請求項２に規定するように、前記調整用Ｓ字特性を得る工程は、前記出力信号が所定の状態になったこと応答して実行される。
【発明の効果】
【０００７】
本発明の光情報記録再生装置によれば、次のように優れた作用効果を発揮することができる。
温度検出手段の代わりにフォーカス誤差信号のＳ字特性の振幅の比率値（振幅バランス）を用いることによってビームエキスパンダ手段の仮位置を求めるようにしたので、その誤差範囲（ばらつき）が少なくなり、すなわち出力信号の測定範囲が少なくなり、その結果、出力信号の測定回路を少なくして短時間でビームエキスパンダ手段の最適補正位置を求め、その最適補正位置にビームエキスパンダ手段を迅速に位置させることができる。
【発明を実施するための最良の形態】
【０００８】
以下に、本発明に係る光情報記録再生装置の一実施例を添付図面に基づいて詳述する。
図１は本発明に係る光情報記録再生装置の一例に示す構成図、図２はフォーカス誤差信号と対物レンズとの関係を示すグラフ、図３はビームエキスパンダ手段の第２レンズの位置とＳ字特性の比率値（上振幅／全振幅）との関係を示すグラフ、図４は従来装置におけるビームエキスパンダ手段の第２レンズの位置と温度センサ値との関係を示すグラフである。
【０００９】
まず、図１に示すように、この光情報記録再生装置２は、光源である例えば半導体レーザ素子４より出射されるレーザ光Ｌ１を、光記録媒体である例えば光ディスクＤへ導き、この反射光を検出する光ピックアップを構成する光学系６を有している。具体的には、この光学系６は以下に示す光学部品を有している。図中、８はレーザ光Ｌ１を平行光化するコリメータレンズ、１０はグレーティング、１２はレーザ光Ｌ１を偏光させつつその一部を反射する偏光ビームスプリッタ、１４はレーザ光Ｌ１の一部を受けるレーザモニタ検出器、１６は上記偏光ビームスプリッタ１２を通過した光を透過してビームの幅調整を行うビームエキスパンダ手段であり、このビームエキスパンダ手段１６は光軸上に配置された第１レンズ１６Ａと第２レンズ１６Ｂとを有している。
【００１０】
また、１８はビームエキスパンダ手段１６を透過したレーザ光Ｌ１を光ディスクＤに向けて立ち上げる立ち上げミラー、２０は立ち上げミラー１８からのレーザ光Ｌ１を通す１／４波長板、２２は１／４波長板２０を通過したレーザ光Ｌ１を光ディスクＤに集光して光スポットを形成する対物レンズである。また、２４は上記光ディスクＤにて反射されて戻ってきて更に上記偏光ビームスプリッタ１２にて反射された光を通す検出レンズ、２６は検出レンズ２４を通過した反射光を通すシリンドリカルレンズ、２８はシリンドリカルレンズ２６を通過した反射光を受ける光検出器であり、この光検出器２８は例えば周知の４分割センサ等よりなる。
【００１１】
上記光検出器２８の検出信号に基づいて、再生信号やトラッキング信号等の必要な信号が図示しない回路により得られるが、ここでは演算回路３０によりフォーカス誤差信号Ｓ１が得られるようになっている。３２は本発明の特徴とする収差制御手段であり、例えばマイクロコンピュータ等により構成されている。この収差制御手段３２は、この装置全体の動作も制御し、演算等において必要とされる情報を記録する記憶部３３を有している。この収差制御手段３２では、後述する動作を行って、上記ビームエキスパンダ手段１６に関する指示信号Ｓ２を出力するようになっている。
３４は、上記指示信号Ｓ２を受けて上記ビームエキスパンダ手段１６を移動させる駆動手段であり、この駆動手段３４は、上記指示信号Ｓ２を直接的に受けて駆動信号Ｓ３を出力する駆動回路３６と、上記ビームエキスパンダ手段１６を実際に動かす駆動機構３８とにより構成されている。
【００１２】
上記駆動機構３８は、リードスクリュー４０が連結されて上記駆動信号Ｓ３によって動作するステッピングモータ４２を有している。そして、このリードスクリュー４０には、上記第１及び第２レンズ１６Ａ、１６Ｂの内の一方のレンズである第２レンズ１６Ｂを保持するレンズホルダ４４のネジ部が螺合されており、上記リードスクリュー４０の正逆回転によってこれに沿って移動できるようになっている。これに対して、上記第１レンズ１６Ａは、上記第２レンズ１６Ｂの移動を案内するガイドロッド４６の一端に固定されており、このガイドロッド４６には、第２レンズ１６Ｂの原点位置を検出するための原点検出器４８が設置されている。尚、第２レンズ１６Ｂに代えて、第１レンズ１６Ａを移動できるように構成してもよい。
【００１３】
また光検出器２８の出力側には、出力信号（ＲＦ信号）の状態、例えばＲＦ信号のレベル、ＲＦ信号ジッタ、またはエラーレート等を計測するための状態計測部５０が設けられており、その結果は、上記制御手段３２へ入力されるようになっている。ここで上記記憶部３３には、フォーカス誤差信号のＳ字特性の全振幅と上振幅、或いは下振幅との比である比率値と上記ビームエキスパンダ手段１６の位置との関係を示す予め求められた相関関係と、上記ビームエキスパンダ手段の初期位置におけるフォーカス誤差信号のＳ字特性の比率値である予め求められた初期比率値とを記憶する。また上記収差制御手段３２は、上記ビームエキスパンダ手段１６の位置調整用のＳ字特性である調整用Ｓ字特性を得る工程と、上記調整用Ｓ字特性の比率値と、上記初期比率値と、上記相関関係とに基づいて上記ビームエキスパンダ手段１６の仮位置を求める工程と、上記仮位置と該位置の前後複数の位置との各位置における各出力信号に基づいて最適補正位置を求める工程と、上記最適補正位置に前記ビームエキスパンダ手段１６を位置させる工程とをそれぞれ実行するように制御する。
【００１４】
次に、以上のように構成された本発明の動作について説明する。
まず一般的な動作について説明する。
半導体レーザ素子４から出射されたレーザ光Ｌ１はコリメータレンズ８で平行光化され、偏光ビームスプリッタ１２により、レーザモニタ検出器１４側と対物レンズ２２側に向かう光に分けられる。対物レンズ２２側に向かう光はビームエキスパンダ手段１６の第１レンズ１６Ａ及び第２レンズ１６Ｂを透過し、全反射の立ち上げミラー１８により光ディスクＤの面上に向けて折り曲げられ、１／４波長板２０を透過して対物レンズ２２により光ディスクＤ上に集光される。この光ディスクＤからの反射光は対物レンズ２２を逆向きに透過し、上記した光路を偏光ビームスプリッタ１２まで逆向きに進み、この偏光ビームスプリッタ１２により折り曲げられて、検出レンズ２４、シリンドリカルレンズ２６を透過して光検出器２８で受光される。そして、所定の出力信号（ＲＦ信号）Ｓ０は演算回路３０へ入力される。尚、再生信号やトラッキング誤差信号は図示しない他の回路で形成される。
【００１５】
上記演算回路３０は、光検出器２８の各受光部からの出力に基づいてフォーカス誤差信号Ｓ１を演算する。ここではフォーカス誤差信号Ｓ１は非点収差法により得られる。このフォーカス誤差信号Ｓ１は２分割されて、一方は図示しないフォーカス制御系に供給されて対物レンズ２２に対して実際にフォーカス制御を行うが、他方は上記収差制御手段３２側に供給されて、必要に応じて収差補正動作を行う。例えば駆動回路３６は上記収差制御手段３２より出力される指示信号Ｓ２に基づいて駆動信号Ｓ３をステッピングモータ４２へ出力し、これを駆動してリードスクリュー４０を回転する。このリードスクリュー４０の回転に伴って第２レンズ１６Ｂを光軸方向に沿って移動すると、球面収差が変化することになる。このように球面収差が変化すると上記フォーカス誤差信号Ｓ１の振幅値が変化し、この振幅値は球面収差の量が”０”になる位置で最大値をとる。
【００１６】
例えば図２は対物レンズ２２の位置とフォーカス誤差信号のＳ字特性との関係を示しており、光ディスクＤに対して対物レンズ２２を接近、或いは離間させるとＳ字を描くような特性を示し、これをＳ字特性と称する。このＳ字特性の中心点Ｐ０が合焦点であり、上向きに突となる最大値と、下向きに突となる最大値を有している。図２中において、曲線ａ１は第２レンズ１６Ｂの位置が球面収差を”０”とする位置にある場合を示し、曲線ａ２は第２レンズ１６Ｂの位置が球面収差を”０”とする位置から負側にある場合を示し、曲線ａ３は第２レンズ１６Ｂの位置が球面収差を”０”とする位置から正側にある場合を示す。ここで「正側」とは光ディスクＤに対して対物レンズ２２を接近させる方向を示し、「負側」とは光ディスクＤに対して対物レンズ２２を離間させる方向を示す。
【００１７】
このように、第２レンズ１６Ｂの位置を、球面収差”０”とする位置及びこれより前後に移動させたときのフォーカス誤差信号Ｓ１のＳ字特性は、第２レンズ１６Ｂの位置が球面収差”０”とする位置の場合（曲線ａ１）、上側の最大値から合焦点Ｐ０までの量Ｍ１と合焦点Ｐ０から下側の最小値までの量Ｍ２が等しく、それらの振幅値も最大になる。これに対して、第２レンズ１６Ｂの位置が球面収差”０”とする位置から負側に移動させた場合（曲線ａ２）、上側の最大値から合焦点Ｐ０までの量Ｎ１より、合焦点Ｐ０から下側の最小値までの量Ｎ２の方が小さくなり振幅値も減少する。逆に球面収差”０”とする位置から正側に移動させるた場合（曲線ａ３）、上側の最大値から合焦点Ｐ０までの量Ｔ１より、合焦点Ｐ０から下側の最小値までの量Ｔ２の方が大きくなり振幅値も減少する。ここでＳ字特性の基準レベルより上側の波形の振幅を上振幅、規準レベルより下側の波形の振幅を下振幅、波形全体の振幅を全振幅と、それぞれ定義する。
【００１８】
上記のように、球面収差が変化するとフォーカス誤差信号のＳ字特性の振幅値が変化し、球面収差が最小になる位置でＳ字特性の全振幅は最大値をとる。この性質を用いて初期球面収差補正動作を行う。この初期球面収差補正動作は、少なくとも３点以上の測定点、すなわち第２レンズ１６Ｂの異なる位置でフォーカス誤差信号のＳ字特性を得てその振幅値を計測し、下記に示す数式、１、２、３を用いて、フォーカス誤差信号のＳ特性の全振幅が最大値をとる第２レンズ１６Ｂの位置（初期位置）を算出する。同時に前記測定点において、フォーカス誤差信号の最大値から合焦点までの量（上振幅）と合焦点から最小値までの量（下振幅）を計測し、これらの比率値ｎを求める。ここで比率値ｎは上述したように［上振幅／全振幅］として定義する。そして、この比率値ｎと第２レンズ１６Ｂの位置から両者の相関係数を導き、この相関関係を上記記憶部３３に保存する。この時の初期の相関関係は図３中に曲線ｂ０として表されている。またフォーカス誤差信号のＳ字特性が最大値をとる位置へ第２レンズ１６Ｂを移動させ、ここでＳ字特性をとってこの上振幅及び下振幅を計測し、比率値ｎを求めるとこによってこれを初期比率値Ａとして記憶部３３に保存し、初期球面収差補正動作を完了する。
【００１９】
ここで第２レンズ１６Ｂの３点の位置（ｘ）及びその時のＳ字特性の全振幅（ｙ）をそれぞれ（ｘ１、ｙ１）、（ｘ２、ｙ２）、（ｘ３、ｙ３）とした場合、球面収差を最小にする第２レンズ１６Ｂの位置（初期位置）Ｘは次の数式１、２、３および数式４で与えられる。
ｙ１＝Ａ・ｘ１２ ＋Ｂ・ｘ１＋Ｃ  …  数１
ｙ２＝Ａ・ｘ２２ ＋Ｂ・ｘ２＋Ｃ  …  数２
ｙ３＝Ａ・ｘ３２ ＋Ｂ・ｘ３＋Ｃ  …  数３
上記３つの数式から求まる係数Ａ、Ｂから数式４に基づいて位置Ｘが定まる。
Ｘ＝｛−Ｂ／（２・Ａ）｝・Ｋ  …  数４
ここでＫは補正係数である。
また上記のようにして求めた第２レンズ１６Ｂの位置と比率値ｎとの相関関係の一例は、図３中に示される曲線の内の一本の曲線のようになる。
【００２０】
次に、上記した初期球面収差補正動作の流れを図５に示すフローチャートを参照して総括的に説明する。
まず、第２レンズ１６Ｂを異なる３点の位置ｘ１、ｘ２、ｘ３へ移動し、それぞれの位置でフォーカス誤差信号のＳ字特性を得る（Ｓ１）。
次に上記各Ｓ字特性の全振幅ｙ１、ｙ２、ｙ３から、前記数式１〜４を用いて、第２レンズ１６Ｂの最適位置（初期位置）を求める（Ｓ２）。
次に、上記各Ｓ字特性の各比率値ｎ１、ｎ２、ｎ３から第２レンズ１６Ｂの位置と比率値ｎとの相関関係を求め、この相関関係を記憶部３３に記憶する（Ｓ３）。
【００２１】
次に、第２レンズ１６Ｂを上記初期位置に移動して、ここでフォーカス誤差信号のＳ字特性を得る（Ｓ４）。
そして、ここで求めたＳ字特性の比率値（上振幅／全振幅）を求め、これを初期比率値Ａ１として記憶部３３に記憶する（Ｓ５）。
以上のようにして、初期球面収差補正動作を終了することになる。
【００２２】
上記のように初期球面収差補正動作が完了したならば、通常の記録再生動作を行い、その間に、定期的に、球面収差が適正であるか否かのチェック動作を行う。このチェック動作を含む記録再生動作の流れについて図６を参照して説明する。
まず、光記録媒体に対して通常の記録再生動作を実行する（Ｓ２１）。記録再生動作が開始されると、装置自体が次第に熱を発生することから発生するレーザ光の波長等も僅かにずれ始め、この結果、球面収差も次第に増加する傾向となる。そこで、一定の間隔で、例えば１〜６０秒毎に、或いは１〜１０℃変化する毎に、光ピックアップの出力信号（ＲＦ信号）の状態をチェックする（Ｓ２２）。このチェック動作には２つの態様があり、Ｓ２２−１とＳ２２−２の内のいずれかを一方を選択的に実行する。例えばＳ２２−１においては、上記ＲＦ信号のレベルは一定値（所定の値）以下になったか否かを判断する。
ここで、一定値とは、例えばＲＦ信号の振幅が初期値から１０％低減した場合をいう。この場合、ＮＯの時、すなわちＲＦ信号レベルが一定値以下になっていない時には、球面収差は適正な最小量なのでＳ２１へ戻る。これに対して、ＹＥＳの場合、すなわちＲＦ信号レベルが一定値以下になった時には、球面収差が許容量以上に大きくなったことを示すので、第２レンズ１６Ｂの位置補正動作を行う（Ｓ２３）。
【００２３】
またＳ２２−２においては、上記ＲＦ信号のジッタ、またはエラーレートが一定値（所定の値）以上になったか否かを判断する。ここで一定値とは、例えばＲＦ信号のジッタが初期値から１％悪化した場合、或いはエラーレートであれば、エラーレートが初期値から一桁悪化した場合をいう。この場合、ＮＯの時、すなわちＲＦ信号のジッタまたはエラーレートが一定値以上になっていない時には、球面収差は適正な最小量なのでＳ２１へ戻る。これに対して、ＹＥＳの場合、すなわちＲＦ信号のジッタまたはエラーレートが一定値以上になった時には、球面収差の許容量以上に大きくなったことを示すので、第２レンズ１６Ｂの位置補正動作を行う（Ｓ２３）。そして、上記各動作を、記録再生データがなくなるまで実行する（Ｓ２４）。
【００２４】
次に、上記位置補正動作について説明する。この位置補正動作においては、まず、第２レンズ１６Ｂを移動させないでそのままの状態（初期位置）でフォーカスランプ動作に入ってフォーカス誤差信号のＳ字特性を得て、その比率値Ｂ（＝上振幅／全振幅）を求める。この比率値Ｂが記憶部３３に記憶してある初期比率値Ａと一致していれば、球面収差が大きく変動していないことになるので、この位置補正動作を終了する。
これに対して、比率値Ｂが初期比率値Ａと一致していなければ、実際の補正動作を進める。この場合には、この補正動作では、こ記憶部３３に記憶している第２レンズ位置と比率値との相関関係（図３中の曲線ｂ０から、初期比率値Ａ＝比率値Ｂとなるような推定補正量Ｌ１を求めて、それに対応する仮位置Ｐ１を求める。尚、曲線ｂ０上のＰ０は、第２レンズ１６Ｂの初期位置である。
【００２５】
次に、上記仮位置Ｐ１と、この仮位置Ｐ１より僅かな距離ΔＬ１、ΔＬ２だけ前後に離れた位置である位置Ｐ２、Ｐ３とに、それぞれ第２レンズ１６Ｂを位置させ、各位置Ｐ１、Ｐ２、Ｐ３において光ピックアップの出力信号（ＲＦ信号）の状態をチェックする。尚、上記ΔＬ１、ΔＬ２はそれぞれ略２０μｍ程度である。この場合、チェック対象としてＲＦ信号のレベルを計測した場合には、その信号レベルが最大値となった位置を最適補正位置として選択する。
またチェック対象としてＲＦ信号ジッタ、またはエラーレートを計測した場合には、それらの値が最小値となった位置を最適補正位置として選択する。そして、この最適補正位置に第２レンズ１６Ｂを移動させ（仮位置Ｐ１が最適補正位置の時には移動させないで）、位置補正動作を終了することになる。尚、図３中において、各位置Ｐ１、Ｐ２、Ｐ３における曲線ｂ１、ｂ２、ｂ３は参考のために記載しているのであり、位置補正動作時にはこれらの曲線ｂ１、ｂ２、ｂ３は求めていない。
【００２６】
ここで図３から明らかなように、第２レンズ１６Ｂの位置と比率値ｎとの相関関係は、装置自体の温度上昇が生じても、その温度上昇後の変動量、すなわちばらつき量Ｂ１は非常に狭いので、この狭い範囲内で第２レンズ位置１６Ｂの位置を変えて測定すればよく、その結果、少ない測定点で迅速に、且つ精度良く球面収差の補正を行うことができる。
これに対して、図４は従来装置において、直線Ｃ１が第２レンズの位置と温度センサ値との相関関係を示しており、温度変化が生ずると、先の曲線ｂ０（図３参照）に上側及び下側で接する直線Ｃ２及び直線Ｃ３間の範囲がばらつき量Ｂ２となる。図３及び図４と比較して明らかなように、ばらつき量Ｂ２は、ばらつき量Ｂ１よりもかなり広くなっている。従って、この広いばらつき量Ｂ２の中ので第２レンズ１６Ｂの適正な位置を探さなければならないので、測定点が多くなり、迅速な位置補正動作を行うことが困難となる。
【００２７】
次に、上記した位置補正動作の流れを図７に示すフローチャートを参照して総括的に説明する。
まず、第２レンズ１６Ｂを移動させないで初期位置の状態でフォーカス信号のＳ字特性をとる（Ｓ３１）。次に、このＳ字特性の比率値Ｂ（＝上振幅／全振幅）を求める（Ｓ３２）。次に初期比率値Ａと比率値Ｂとが一致するか否かをチェックし（Ｓ３３）、両者が一致した場合には（ＹＥＳ）、球面収差が変動していないとして、位置補正動作を終了する。これに対して、両者が一致していない場合には（ＮＯ）、記憶部３３に記憶されている図３に示す相関関係（曲線ｂ）及び初期比率値Ａと上記求めた比率値Ｂとに基づいて、初期比率値Ａと比率値Ｂとが一致するような第２レンズ１６Ｂの位置を仮位置Ｐ１（図３参照）として求める（Ｓ３４）。尚、上記Ｓ３３において、比率値Ｂが一定の範囲内で初期比率値Ａに一致しているか否かをチェックするようにしてもよい。
【００２８】
次に、上記仮位置Ｐ１及びこの仮位置Ｐ１から僅かに前後に離れた位置Ｐ２、Ｐ３の各位置へ第２レンズ１６Ｂを移動し、これらの各位置において出力信号（ＲＦ信号）を得る（Ｓ３５）。
そして、各出力信号の状態より第２レンズ１６Ｂの最適補正位置を求める（Ｓ３６）。この場合、前述したように出力信号であるＲＦ信号のレベルを測定した時には、その最大値となる位置を最適補正位置とし、ＲＦ信号ジッタ或いはエラーレートを測定した時にはその最小値となる位置を位置最適補正位置とする。そして、得られた最適補正位置に第２レンズ１６Ｂを位置させる（Ｓ３７）。これにより、第２レンズ１６Ｂの位置補正動作を終了することになる。
尚、上記実施例では仮位置Ｐ１と、この前後２箇所の位置でＲＦ信号を測定したが、球面収差補正の精度を上げるために、仮位置Ｐ１の前後の測定箇所を更に増加させるようにしてもよい。
また、ここでは比率値として［上振幅／全振幅］を求めたが、これに限定されず比率値として［下振幅／全振幅］を定義してもよく、この場合には、図２を参照して説明したように、特性の変化の態様が上下逆になる。
【図面の簡単な説明】
【００２９】
【図１】本発明に係る光情報記録再生装置の一例に示す構成図である。
【図２】フォーカス誤差信号と対物レンズとの関係を示すグラフである。
【図３】ビームエキスパンダ手段の第２レンズの位置とＳ字特性の比率値（上振幅／全振幅）との関係を示すグラフである。
【図４】従来装置におけるビームエキスパンダ手段の第２レンズの位置と温度センサ値との関係を示すグラフである。
【図５】初期球面収差補正動作の流れを示すフローチャートである。
【図６】球面収差が適正であるか否かのチェック動作を含む記録再生動作の流れを示すフローチャートである。
【図７】位置補正動作の流れを示すフローチャートである。
【符号の説明】
【００３０】
２…光情報記録再生装置、４…半導体レーザ素子（光源）、１２…偏光ビームスプリッタ、１６…ビームエキスパンダ手段、１６Ａ…第１レンズ、１６Ｂ…第２レンズ、２２…対物レンズ、２６…光検出器、３０…演算回路、３２…収差制御手段、３３…記憶部、３４…駆動手段、Ｄ…光ディスク（光記録媒体）。
【図１】
2006048875.tif 000003
【図２】
2006048875.tif 000004
【図３】
2006048875.tif 000005
【図４】
2006048875.tif 000006
【図５】
2006048875.tif 000007
【図６】
2006048875.tif 000008
【図７】
2006048875.tif 000009